(57)【要約】      （修正有）【課題】一般のプリンタで印刷可能なＡ４サイズの隠蔽ハガキを提供する。【解決手段】ハガキ本体１と、該ハガキ本体１の長辺に連続しハガキ本体１の情報を隠蔽するためにハガキ本体１の宛名面の裏に貼付しうる隠蔽シール２と、からなり、ハガキ本体１には裏面に隠蔽用地紋印刷をした情報記載用紙３を宛名面裏に地紋印刷面が当たるように貼付し、隠蔽シール２にはハガキ本体１に貼付する面上に隠蔽地紋を印刷し、その上に粘着糊を塗布し、更にその上に剥離紙４を貼付し、隠蔽ハガキ２セットを縦長に連続配置した。【選択図】図３
0003149799.tif 000002
【実用新案登録請求の範囲】
【請求項１】
ハガキ本体と、
該ハガキ本体の長辺に連続しハガキ本体の情報を隠蔽するためにハガキ本体の宛名面の裏に貼付しうる隠蔽シールと、からなり、
該ハガキ本体には裏面に隠蔽用地紋印刷をした情報記載用紙を宛名面裏に地紋印刷面が当たるように貼付し、
該隠蔽シールにはハガキ本体に貼付する面上に隠蔽地紋を印刷し、その上に粘着糊を塗布し、更にその上に剥離紙を貼付した、
隠蔽ハガキ２セットを縦長に連続配置したプリンタで印刷可能なＡ４サイズの隠蔽ハガキセット紙。
【請求項２】
隠蔽ハガキ２セットがミシン目により分離可能である請求項１記載の隠蔽ハガキセット紙。
【請求項３】
隠蔽シール上の粘着剤が弱粘着性の糊であり、剥離紙には剥離剤を塗工せず、ハガキ本体に隠蔽シールを貼り付けた後でも、隠蔽シールが剥離可能である、請求項２記載の隠蔽ハガキセット紙。
【請求項４】
隠蔽ハガキセット紙の一辺に封入・封緘機用の空白を設けた請求項３記載の隠蔽ハガキセット紙。
【請求項５】
空白が5〜12ｍｍ幅である請求項４記載の隠蔽ハガキセット紙。
【請求項６】
隠蔽ハガキセット紙の厚さを隠蔽シール側およびハガキ本体側とも同じ厚さにした請求項４記載の隠蔽ハガキセット紙。
【請求項７】
隠蔽ハガキセット紙から分離されたハガキ一葉が、２〜６ｇ／枚である請求項４記載の隠蔽ハガキセット紙。
【考案の詳細な説明】
【技術分野】
【０００１】
本考案は、隠蔽ハガキをＡ４サイズに２セット配置してインクジェットプリンタ、レーザープリンタ等で印字して使用することのできる隠蔽ハガキセット紙に関する。
【背景技術】
【０００２】
最近、隠蔽ハガキはいろいろな場面で利用されている。銀行や保険会社から顧客への連絡や、逆に顧客に必要な情報を隠蔽ハガキに記載させて会社に送り返す用途のものなど多岐にわたって利用されている。
【０００３】
このように多くの目的で利用されている隠蔽ハガキであるが、各顧客の要求や事情などに応じた内容の隠蔽ハガキの作成が必要なことが多くなってきている。即ち、顧客毎に、いわゆるカスタマイズした内容が必要になってきている。また、個人情報や企業の有している顧客情報を外部に出さないためにも、会社内で通常のプリンタで印刷可能な隠蔽ハガキが必要になってきている。
【考案の開示】
【考案が解決しようとする課題】
【０００４】
本考案は、一般のプリンタで印刷可能なＡ４サイズの隠蔽ハガキを提供することを目的とする。
【課題を解決するための手段】
【０００５】
即ち、本考案は、ハガキ本体と、
該ハガキ本体の長辺に連続しハガキ本体の情報を隠蔽するためにハガキ本体の宛名面の裏に貼付しうる隠蔽シールと、からなり、
該ハガキ本体には裏面に隠蔽用地紋印刷をした情報記載用紙を宛名面裏に地紋印刷面が当たるように貼付し、
該隠蔽シールにはハガキ本体に貼付する面上に隠蔽地紋を印刷し、その上に粘着糊を塗布し、更にその上に剥離紙を貼付した、
隠蔽ハガキ２セットを縦長に連続配置したプリンタで印刷可能なＡ４サイズの隠蔽ハガキセット紙を提供する。
【０００６】
また、上記隠蔽ハガキ２セットがミシン目により分離可能であることが好ましい。
【０００７】
上記隠蔽シール上の粘着剤が弱粘着性の糊であり、剥離紙には剥離剤を塗工せず、ハガキ本体に隠蔽シールを貼り付けた後でも、隠蔽シールが剥離可能であることが好ましい。
【０００８】
隠蔽ハガキセット紙の一辺には、好ましくは、封入・封緘機用の空白を設けられる。
【０００９】
上記封入・封緘機用の空白は、好ましくは5〜12ｍｍ幅である。
【００１０】
本考案の隠蔽ハガキセット紙は、厚さを隠蔽シール側およびハガキ本体側とも同じ厚さにすることが好ましい。
【００１１】
好ましくは、本考案の隠蔽ハガキセット紙から分離されたハガキ一葉が、２〜６ｇ／枚である。
【考案の効果】
【００１２】
本考案の隠蔽ハガキセット紙は、Ａ４サイズであるので、通常のプリンタで印刷が可能である。また、本考案の隠蔽ハガキセット紙は、使用時（情報が隠蔽された状態で郵送される場合）には、ハガキ内に記載された情報を読み取ることはできない。
【００１３】
本考案の隠蔽ハガキセット紙を用いると、顧客に応じたきめ細かい対応が可能であると同時に、顧客情報が他に流れることがなく個人情報の管理上も非常に優れている。
【考案を実施するための最良の形態】
【００１４】
図面を参照して本考案を更に詳細に説明する。
図１は、本考案の隠蔽ハガキセット紙の片面（宛名面裏側の文面）の平面図である。
図２は、本考案の隠蔽ハガキセット紙の厚さ方向から見た断面図である。
図３は、本考案の隠蔽ハガキセット紙のハガキ一葉の構成を示す模式図である。
図４は、本考案の隠蔽ハガキセット紙のハガキ一葉の別の片面（宛名面）の平面図である。
図５は、本考案の隠蔽ハガキセット紙のハガキ一葉の使用方法を示す流れ図である。
【００１５】
図１には、本考案の隠蔽ハガキセット紙の片面（宛名面裏側の文面）の平面図が記載されており、隠蔽ハガキセット紙のハガキ２葉（ＩとＩＩ）が上下に連続していて、Ａ４サイズの通常のプリンタに通すことができるセット紙が構成されている。ハガキＩとＩＩは、同じ構成なので、ハガキＩのみ詳しく説明する。また、本考案の隠蔽ハガキセット紙のハガキ一葉の宛名面からみた平面図（図１の隠蔽ハガキセット紙の裏面）は図４に示されている。
【００１６】
まず、図２をみると、それぞれの用紙の関係がわかる。ハガキ本体１はその上に情報記載用紙３が貼着されている。その情報記載用紙３の上面（情報記載面）が図１の番号６である。ハガキ本体１の横には隠蔽シール２が連続して存在し、その隠蔽シール２の上には剥離紙４が剥離可能に貼着されており、その上面が図１の番号７である。ハガキ本体１と隠蔽シール２との間は、ミシン目８があってもよく、番号８は折り目であってもよい。図２の番号５は、必要に応じて形成されてもよい空白であって、この空白５が存在することにより隠蔽ハガキを封筒に封入して封緘する際に、作業を自動化するために設けられる。空白５部分の幅は、3〜20ｍｍ、好ましくは5〜12ｍｍである。
【００１７】
図１に示されているように、本考案の隠蔽ハガキセット紙は、隠蔽ハガキの２セット（ＩおよびＩＩ）が縦長に並んでいるもので、その間には、切り離しが容易なようにミシン目９が入れられている。図１に見られるように、剥離紙４（または７）と情報記載用紙４（または７）との間は、通常、不連続であり、その間は用紙がカットされている。
【００１８】
図３には、本考案の隠蔽ハガキセット紙のハガキ一葉が分解されて示されている。ハガキ本体１の情報記載用紙３に貼着する面は特に特別でなくてもよいが、その裏面（宛名面）は、図４の番号１０に示されているような、ハガキの宛名面の様式になっている。この面には、必要に応じて、送付先の会社の住所や顧客の住所等が記載されている。情報記載用紙３のハガキ本体１に貼着する面（図３では見えていない面）には、情報記載用紙３の情報記載面６に記載された情報が、宛名面１０から確認できないように、隠蔽用地紋の印刷が施されている。
【００１９】
隠蔽シール２の図３で見えている面には、隠蔽地紋を印刷し、その上には粘着糊が塗布されている。粘着糊は隠蔽地紋が見えるように、透明であることが好ましい。この粘着糊は、剥離紙４およびその剥離紙４が取り除かれて情報記載用紙３が剥離可能になるような糊であって、通常は弱粘着性糊が好ましい。隠蔽ハガキは、使用前は剥離紙４が隠蔽シール２に貼着されていて、使用時（ハガキとして郵送される場合）には剥離紙４がはがされて、情報記載用紙３の情報記載面６に貼着される。
【００２０】
図４の番号１０は、前述のように、ハガキ本体１の宛名面であり、その横の面１１は、隠蔽シール２の粘着糊がない面であって、使用時（ハガキとして郵送される場合）にはハガキの、いわゆる文面となり、本考案の隠蔽ハガキでは特に重要な情報は記載されていないので、より隠蔽性が上がるように隠蔽地紋が印刷されていてもよく、またその他の情報や宣伝が記載されていてもよく、さらに何も印刷が無くてもよい。
【００２１】
図５には、本考案の隠蔽ハガキセット紙の利用方法が記載されている。必要に応じて、この情報は隠蔽ハガキセット紙に印刷される。既に、説明したが、簡単に説明すると、まず図５ａでは隠蔽ハガキの情報記載面６と剥離紙上面７が見えている。この情報記載面６上に情報を記載する。ついで、図５ｂで、剥離紙３を剥離して、図５ｃで剥離紙３を取り、隠蔽シール２を露出し、図５ｄで隠蔽シール２を情報記載面６上に折り、最後に郵便ポストに投函することになる。
【００２２】
本考案では、隠蔽ハガキセット紙は、個別に様々な情報を印字するために、Ａ４サイズでレーザープリンタやインクジェットプリンタで使用できる用紙を作るため、用紙の厚さが隠蔽シール側とハガキ本体で同じ厚さになるようにすることが必要である。また、隠蔽ハガキセット紙のプリンタでの走行性能をもたせることも必要である。本考案では、はがき本体に使用する用紙をその用紙だけではハガキとして使用できない程度の軽い重量の用紙を貼り合わせることで、隠蔽シールと剥離紙の厚さとハガキ本体の厚さを同じになるようにすること、さらには用紙の抄造方向を同じにすることでプリンタ機上での走行の安定性を実現した。
【００２３】
またレーザープリンタ、またはインクジェットプリンタでの用紙の選択から、上質紙でノンインパクトプリンタ（ＮＩＰ）用の用紙が最適である。
【００２４】
ハガキ本体１、隠蔽シール２、情報記載用紙３および剥離紙４の各用紙は、カラー印刷の品質を考慮すると、上質紙にとどまらずアート紙、コート紙などＮＩＰプリンタ適性を備えた平滑でカラー印刷の仕上がり品質の良いものがよい。
【００２５】
ＮＩＰ用のＡ４シートとして使用するとき、用紙の厚さとしてはプリンタ用紙として十分であればよく、剥離紙４を剥がさない状態でいずれか片面、あるいは両面を印字するためのプリンタの動作に耐えるものであれば良い。
【００２６】
つまり、剥離紙４を剥がす前の状態でハガキ本体１と隠蔽シール２に剥離紙４を貼ってある状態で両者の厚さが同じか同程度で、隠蔽シール２を貼り合わせた状態で２〜６ｇ/枚とするためには、上質紙ではキロ連量５５または７０ｋｇ程度、コート紙ではキロ連量７０または９０ｋｇ程度が最適である。
【００２７】
隠蔽シール２に塗布する粘着糊は、粘着糊のうちで上質紙がハガキ本体をカールさせても浮き上がらない程度に貼り付けることの出来る極弱い粘着糊が最適。これは、粘着の強い糊を使用すると、使用後に隠蔽シール２を剥がすときにハガキ本体１をカールさせることがあるからであり、用紙を剥がすときにも極弱い力で剥がすことが出来る程度の剥離強度の糊が最適である。
【図面の簡単な説明】
【００２８】
【図１】は、本考案の隠蔽ハガキセット紙の片面（宛名面裏側の文面）の平面図である。
【図２】は、本考案の隠蔽ハガキセット紙の厚さ方向から見た断面図である。
【図３】は、本考案の隠蔽ハガキセット紙のハガキ一葉の構成を示す模式図である。
【図４】は、本考案の隠蔽ハガキセット紙のハガキ一葉の別の片面（宛名面）の平面図である。
【図５】は、本考案の隠蔽ハガキセット紙のハガキ一葉の使用方法を示す流れ図である。
【符号の説明】
【００２９】
１・・・ハガキ本体、２・・・隠蔽シール、３・・・情報記載用紙、４・・・剥離紙、５・・・空白、６・・・情報記載面、７・・・剥離紙の上面、８・・・ミシン目または折り目、９・・・ミシン目、１０・・・ハガキ本体の宛名面、１１・・・隠蔽シールの粘着糊がない面。
【図１】
0003149799.tif 000003
【図２】
0003149799.tif 000004
【図３】
0003149799.tif 000005
【図４】
0003149799.tif 000006
【図５】
0003149799.tif 000007
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
ハガキ本体と、
該ハガキ本体の長辺に連続しハガキ本体の情報を隠蔽するためにハガキ本体の宛名面の裏に貼付しうる隠蔽シールと、からなり、
該ハガキ本体には裏面に隠蔽用地紋印刷をした情報記載用紙を宛名面裏に地紋印刷面が当たるように貼付し、
該隠蔽シールにはハガキ本体に貼付する面上に隠蔽地紋を印刷し、その上に粘着糊を塗布し、更にその上に剥離紙を貼付した、
隠蔽ハガキ２セットを縦長に連続配置してなり、プリンタで印刷可能なＡ４サイズの隠蔽ハガキセット紙。
【請求項２】
隠蔽ハガキ２セットがミシン目により分離可能である請求項１記載の隠蔽ハガキセット紙。
【請求項３】
隠蔽シール上の粘着剤が弱粘着性の糊であり、剥離紙には剥離剤を塗工せず、ハガキ本体に隠蔽シールを貼り付けた後でも、隠蔽シールが剥離可能である、請求項２記載の隠蔽ハガキセット紙。
【請求項４】
隠蔽ハガキセット紙の一辺に封入・封緘機用の空白を設けた請求項３記載の隠蔽ハガキセット紙。
【請求項５】
空白が5〜12ｍｍ幅である請求項４記載の隠蔽ハガキセット紙。
【請求項６】
隠蔽ハガキセット紙の厚さを隠蔽シール側およびハガキ本体側とも同じ厚さにした請求項４記載の隠蔽ハガキセット紙。
【請求項７】
隠蔽ハガキセット紙から分離されたハガキ一葉が、２〜６ｇ／枚である請求項４記載の隠蔽ハガキセット紙。
【手続補正２】
【補正対象書類名】図面
【補正対象項目名】図４
【補正方法】変更
【補正の内容】
【図４】
0003149799.tif 000008